(57)【要約】【課題】  半身不随の人、握力の小さい老人・子どもでも容易に片手操作でペットボトルを保持し運べるようにする。また、ペットボトル内容物を容器に注げるようにする。さらに、ペットボトルの蓋開閉を容易にする。  【解決手段】  略Ｌ字形をなし、水平部分の鍔部ホルダー１０と鉛直部分の吊り下げ部２０とを備えている。鍔部ホルダー１０はペットボトルの鍔部より小さな直径を有する第一の穴３１と鍔部より大きな直径を有する第二の穴３２とを直線部３３で連接して略だるま形の貫通穴３０を備え、第一の穴３１でペットボトルの鍔部を吊り下げる。吊り下げ部２０に設けた内歯歯車部４０をペットボトル蓋のローレット部に嵌合させ蓋を開閉する。【選択図】  図１
2008044646.tif 000002
【特許請求の範囲】
【請求項１】
ペットボトルの肩部上方に設けられた鍔部より大きな直径を有する穴と前記鍔部より小さな直径を有する穴とを連接して略だるま形の貫通穴を備え、前記鍔部より小さな直径を有する穴で前記鍔部を引っ掛けて保持することを特徴とするペットボトル保持具。
【請求項２】
略だるま形の貫通穴を備えた側の他端側を鉤型に延設し把手部または吊り下げ部のいずれか一方としたことを特徴とする請求項１記載のペットボトル保持具。
【請求項３】
把手部または吊り下げ部のいずれか一方にペットボトルの蓋を回動させる内歯歯車部を備えたことを特徴とする請求項２記載のペットボトル保持具。
【発明の詳細な説明】
【技術分野】
【０００１】
本発明は、水、油、調味料等を収納したペットボトルの保持具に関する。詳しくは、片手でペットボトルを保持し、ペットボトル内の液体等をコップ等の容器に注ぐ保持具に関する。
【背景技術】
【０００２】
脳梗塞等により半身不随の人、老人・子どもなど握力が弱い人にとって、内容積が2リットル程度の大型ペットボトルを片手で保持し運ぶ、または保持して内容物を容器に注ぐことが困難である。特に、ペットボトルを冷蔵庫から出した直後は結露して滑りやすく、ペットボトルの取扱いと持ち運びが不便で難渋していた。
【０００３】
ペットボトルの注ぎ口近傍に設けた鍔部(フランジ部、環状リップなどとも呼ぶ。)をＣ形先端開口のアーム部端面で引っ掛けて吊り下げ可能にし、かつ、ペットボトルの胴部を抱え込み挟持するものとして特開２００３−３１２６７２号公報が提案されている。
【０００４】
さらに、ペットボトルの首部の外径と略同一の内径をもつ円環の一部を切り欠いたＣ字形状のペットボトル嵌入部で鍔部(環状リップ)を引っ掛けて吊り下げ可能にするものとして特開２００５−７５４５３号公報が提案されている。
【特許文献１】特開２００３−３１２６７２号公報
【特許文献２】特開２００５−０７５４５３号公報
【発明の開示】
【発明が解決しようとする課題】
【０００５】
しかし特許文献１おいては、片手操作でペットボトルの胴部を抱え込み挟持することは難しい。さらに、ペットボトルの内容物をコップ等に注ぐ時にペットボトルの首部がＣ形先端開口から外れる恐れもあった。
また、特許文献２では、片手操作でペットボトルの首部からＣ字形状のペットボトル嵌入部を外すことは難しい。
【０００６】
本発明は半身不随の人、握力の小さい老人・子どもでも容易に片手操作でペットボトルを保持し運べるようにする。また、容易に片手操作でペットボトル内容物を容器に注げるようにする。さらに、ペットボトルの蓋開閉を容易にすることを目的とする。
【課題を解決するための手段】
【０００７】
本発明にかかるペットボトル保持具は、ペットボトルの肩部上方に設けられた鍔部より大きな直径を有する穴と前記鍔部より小さな直径を有する穴とを連接して略だるま形の貫通穴を備え、前記鍔部より小さな直径を有する穴で前記鍔部を引っ掛けて保持することを特徴としたもので、保持具に設けた鍔部より大きな穴はペットボトル鍔部への挿入を容易にし、鍔部より小さな穴は鍔部への引っ掛かりを確実にする。これにより半身不随の人、握力の小さい老人・子どもでも容易に片手操作でペットボトルを吊り下げて運べる。また、ペットボトルを傾けて内容物を容器に注ぐことができる。 (請求項１)
【０００８】
なお、本発明にかかるペットボトル保持具において、略だるま形の貫通穴を備えた側の他端側を鉤型に延設し把手部または吊り下げ部のいずれか一方としてもよい。これによりペットボトル保持具を片手で容易に吊り下げられ携帯が楽になる。把手とした場合もペットボトルからの注ぎが片手で可能となる。(請求項２)
【０００９】
さらに本発明にかかるペットボトル保持具において、把手部または吊り下げ部のいずれか一方にペットボトルの蓋を回動させる内歯歯車部を備えた構成としてもよい。これによりペットボトルの蓋を指先でなく、大きな回転モーメントを利用して回動でき容易に開閉できる。(請求項３)
【発明の効果】
【００１０】
上記構成により本発明のペットボトル保持具は、半身不随の人、握力の小さい老人・子どもでも容易に片手操作でペットボトルを保持し運ぶことができる。また、片手操作で２リットル容積のペットボトルから内容物を容器に注ぐことが可能となる。さらに、ペットボトルの蓋開閉が極めて容易になる。
【発明を実施するための最良の形態】
【００１１】
本発明にかかるペットボトル保持具は上述の通りである。ペットボトルの首部へ挿嵌し吊り下げる略だるま形の貫通穴は、鍔部より小さな直径２７．５ｍｍ程度を有する第一の穴 (半径Ｒ１＝１３．７５ｍｍ)と,鍔部より大きな直径３４ｍｍ程度を有する第二の穴(半径Ｒ２＝１７ｍｍ)とをそれぞれ直線部で結んで連結させるのが好ましい。前記第一の穴と第二の穴との配設ピッチＰは２０ｍｍ〜２４ｍｍ程度とするのが好ましい。
【００１２】
鉤型に延設した把手の長さは２００ｍｍ程度とするのが好ましい。また、把手を握ってペットボトルを持ち上げた際、把手が滑らないよう把手形状や把手の表面粗さを工夫するのが好ましい。例えば、把手を握りペットボトルを持ち上げた際、親指と人差し指の上面でペットボトルの荷重を支えられるよう滑らかな段付きの肩部を設けるようにしてもよい。
【００１３】
さらに、把手の先端部にペットボトルの蓋を回動して開閉する内歯歯車部を備えた構成としてもよい。内歯歯車部は把手部と一体成型してもよいし、別途製作したリング状の内歯歯車部を把手に圧入固定または接着固定するようにしてもよい。
内歯歯車部はペットボトルの蓋側部に設けた筋目ローレットに配設ピッチや深さを合致させることは言うまでもない。
【００１４】
さらに、把手の先端部にビール缶等のタブを引っ掛けて開ける鉤型の爪を配設するようにしてもよい(図示せず)。
さらに、前記把手に代え、吊り下げ部を配設するようにしてもよい。指を引っ掛ける穴は内歯歯車部で代用してもよいし、別途、指掛け穴や突起部(図示せず)を配設するようにしてもよい。
さらに、ペットボトル保持具は板厚３〜４ｍｍ程度の金属板をプレス加工してもよいし、所望の強度と剛性を有する形状に樹脂部材を射出成形するようにしてもよい。前記樹脂はＡＢＳ樹脂、ＰＳ樹脂、ＰＰ樹脂など任意の部材を選択すればよい。
【実施例１】
【００１５】
以下、本発明の一実施例におけるペットボトル保持具を図面とともに説明する。図１は本発明の一実施例におけるペットボトル保持具の平面図、図２は図１を切断線Ｓ1−Ｓ1で切断した側面方向の断面図、図３は本発明のもう一つの実施例におけるペットボトル保持具の平面図、図４は図３を切断線Ｓ２−Ｓ２で切断した側面方向の断面図、図５は図４の右側面図を示す。
【００１６】
図1、図２に示すペットボトル保持具１００は厚さ約３ｍｍの軟鋼板を略Ｌ字形に折り曲げてなり、水平部分の鍔部ホルダー１０と鉛直部分の吊り下げ部２０とからなる。
鍔部ホルダー１０はペットボトル５００の鍔部５３０より小さな直径を有する第一の穴３１と鍔部５３０より大きな直径を有する第二の穴３２とを直線部３３で連接して略だるま形の貫通穴３０を備えてなる。
第一の穴３１の半径Ｒ１＝１３．７５ｍｍ程度、第二の穴３２の半径Ｒ２＝１７ｍｍ程度、各穴の配設ピッチP＝２４ｍｍ程度とした。
【００１７】
第二の穴３２内をペットボトルの蓋５５０及び開封防止部(地獄止め)５４０、鍔部５３０の順に挿通し、図２の矢印Ｙ方向にスライドさせて鍔部５３０の下面側に第一の穴３１を位置させる。その状態で吊り下げ部２０に配設した内歯歯車部４０に指を掛けて持ち上げることにより鍔部５３０に第一の穴３１が引っ掛かりペットボトル５００は容易に持ち上がる。その後、ペットボトル５００を任意の場所に移動させる、または傾けて内容物を容器に注ぐ等の動作を容易に片手で行える。
【００１８】
なお上記動作において、内歯歯車部４０に指を掛けて持ち上げるとペットボトル５００の重みでペットボトル保持具１００は左傾し(図２の場合)、ペットボトル５００の首部は第一の穴３１の左端部に当接して止まる。その結果、ペットボトル５００を揺らしたり,傾けたりしても鍔部が貫通穴３０から外れる恐れはない。
【００１９】
吊り下げ部２０のほぼ中央位置に配設された内歯歯車部４０はペットボトルの蓋５５０側部に備えた筋目ローレット５５１に噛み合う構成としている。内歯歯車部４０を筋目ローレット５５１に嵌合させた後、鍔部ホルダー１０の外形部を手で握って回動させれば回転モーメントにより容易に蓋５５０を開閉できる。但し、この場合はペットボトル５００の本体側をもう一方の手で握って固定するか、体の一部たとえば脇の下、膝などを用いて保持、固定しておく必要がある。
【００２０】
このように実施例１におけるペットボトル保持具１００は半身不随の人、握力の小さい老人・子どもでも容易に片手操作でペットボトルを吊り下げて運べる。また、ペットボトルの内容物を容器に注ぐことができる。さらに、蓋の開閉を指先でなく手と腕の力を用いた回転モーメントにより容易に行える。
なお、ペットボトル保持具１００を金属板で構成することに代え、樹脂部材を用いてよいことは自明である。
【実施例２】
【００２１】
図３〜図５は本発明のもう一つの実施例におけるペットボトル保持具２００を示す。この場合も基本的には実施例１の場合と同様、ペットボトルの鍔部を吊り下げて保持する機能と蓋を開閉する機能とを備えている。
ＰＳ(ポリスチレン)樹脂を略Ｌ字形に射出成形してなり、水平部分の鍔部ホルダー３１０と鉛直部分の把手部３２０とからなる。
鍔部ホルダー３１０はペットボトル５００の鍔部５３０より小さな直径を有する第一の穴３３１と鍔部５３０より大きな直径を有する第二の穴３３２とを直線部３３３で連接して略だるま形の貫通穴３３０を備えてなる。
【００２２】
第一の穴３３１の半径Ｒ１＝１３．７５ｍｍ程度、第二の穴３３２の半径Ｒ２＝１７ｍｍ程度、各穴の配設ピッチP＝２４ｍｍ程度とした。
そして、剛性を持たせるため鍔部ホルダー３１０の厚さを１４ｍｍ程度と厚く構成している。第一の穴３１部分の板厚が１４ｍｍ程度では鍔部５３０下側の首部５２０に入らない。そこで、ザグリを施して板厚が４ｍｍ程度の略Ｕ字型のフランジ部３３５を形成している。フランジ部３３５は鍔部５３０下側の首部５２０に挿嵌され鍔部５３０を支承する。
【００２３】
把手部３２０を握ってペットボトルを持ち上げ、ペットボトルを左に傾けて内容物を容器に注ぐ場合(図４の場合)、保持具２００が左傾し、ペットボトル５００は自重で首部５２０が第一の穴３３１の左端部に当接して止まる。その結果、ペットボトル５００の鍔部が貫通穴３３０から外れる恐れはない。
【００２４】
把手部３２０の先端部に配設した内歯歯車部３４０はペットボトルの蓋５５０側部に形成した筋目ローレット５５１に噛み合う構成としている。内歯歯車部３４０を筋目ローレット５５１に嵌合させた後、鍔部ホルダー３１０の外形部を手で握って回動すれば極めて小さな力で容易に蓋５５０を開閉できる。但し、この場合もペットボトル５００の本体側をもう一方の手で握って固定するか、体の一部を用いて保持、固定しておく必要がある。
【００２５】
ペットボトル保持具２００は前記したようにＰＳ樹脂を略Ｌ字形に射出成形している。便宜上、図４では鍔部ホルダー３１０と把手部３２０とを無空で示したが、実際には剛性に影響しない程度に所望の箇所に所望の肉ヌスミを行い軽量化を図っている。(図示せず)
また、把手部等のデザインも任意である。例えば把手部３２０を握った際、ペットボトルの荷重を親指と人差し指の上面で受ける肩部３２５を滑らかな曲線で配設するようにしてもよい。
さらに、内歯歯車部３４０の外周縁部に缶コーヒーや缶ビールのタブを引き起こす鉤型の爪(図示せず)を配設するようにしてもよい。
【００２６】
このように実施例２におけるペットボトル保持具２００も半身不随の人、握力の小さい老人・子どもでも容易に片手操作でペットボトルを吊り下げて運べる。また、ペットボトルを傾け内容物を容器に注ぐことができる。さらに、蓋の開閉を大きな回転モーメント、即ち、把手長さと手及び腕の力とを用いて極めて容易に行える。
【産業上の利用可能性】
【００２７】
本発明は、把手の無い各種ペットボトルの保持具として利用することの他に、牛乳や酒を入れた把手のない大型食品壜、薬びん、工業薬品ビンなどの吊り下げ保持、または傾けて注ぐことに利用できる。
【図面の簡単な説明】
【００２８】
【図１】本発明の一実施例におけるペットボトル保持具の平面図
【図２】図１を切断線Ｓ1−Ｓ1で切断した側面方向の断面図
【図３】本発明のもう一つの実施例におけるペットボトル保持具の平面図
【図４】図３を切断線Ｓ２−Ｓ２で切断した側面方向の断面図
【図５】図４の右側面図
【符号の説明】
【００２９】
１０、３１０  鍔部ホルダー
２０  吊り下げ部
３０、３３０  貫通穴
３１、３３１  第一の穴
３２、３３２  第二の穴
３３、３３３  直線部
４０、３４０  内歯歯車部
１００、２００  ペットボトル保持具
３２０  把手部
３３５  フランジ部
５００  ペットボトル
５１０  肩部
５２０  首部
５３０  鍔部(フランジ部)
５４０  開封防止部(地獄止め)
５５０  蓋
５５１  筋目ローレット
【図１】
2008044646.tif 000003
【図２】
2008044646.tif 000004
【図３】
2008044646.tif 000005
【図４】
2008044646.tif 000006
【図５】
2008044646.tif 000007